(57)【要約】【課題】収容部の空間部に供給される酸素の濃度が高くなることを防止でき、収容部の空間部に滞留する炭酸ガスや湿気などの気体を空間部の外部に効果的に排気することができる動物治療用濃縮酸素供給装置及び動物治療用濃縮酸素供給方法を提供する。【解決手段】収容箱２４の空間部Ｍには、酸素と窒素が４５：５５の割合で混合された第１混合気体に空気が混合された第２混合気体が１０Ｌ／分の流量で供給される。また、収容箱２４の貫通孔２８から第２混合気体の一部が空間部Ｍに滞留する炭酸ガスや湿気と共に収容箱２４の外部に排気される。【選択図】      図１
2007296231.tif 000002
【特許請求の範囲】
【請求項１】
動物の酸素療法に用いる動物治療用濃縮酸素供給装置であって、
空気中の酸素と窒素とを分離するとともに分離した酸素と窒素を所定の割合で混合して第１混合気体とし、前記第１混合気体に所定の割合で空気を混ぜて第２混合気体とする酸素濃縮部と、
内部に酸素吸入を必要とする動物を収容する空間部が形成され前記酸素濃縮部と空気流通部により接続されて前記酸素濃縮部から前記空間部に前記第２混合気体が供給されるとともに、前記空間部に供給された前記第２混合気体を前記空間部に滞留する気体と共に前記空間部の外部に排気する排気部を有する収容部と、
を含んで構成されたことを特徴とする動物治療用濃縮酸素供給装置。
【請求項２】
前記酸素濃縮部は、酸素が４５％、窒素が５５％となるように前記第１混合気体を生成し、
前記第２混合気体として前記第１混合気体を前記空気と共に１０Ｌ／分の流量で前記空間部に供給することを特徴とする請求項１に記載の動物治療用濃縮酸素供給装置。
【請求項３】
前記収容部は、前記空間部に前記動物が収容された状態を外部から視認できる程度の透明部材で構成されていることを特徴とする請求項１又は２に記載の動物治療用濃縮酸素供給装置。
【請求項４】
請求項１乃至３のいずれか１項に記載の動物治療用濃縮酸素供給装置を用いた動物治療用濃縮酸素供給方法であって、
空気中の酸素と窒素とを分離するとともに分離した酸素と窒素を所定の割合で混合して第１混合気体とする第１工程と、
前記第１混合気体に所定の割合で空気を混ぜて第２混合気体とする第２工程と、
前記第２混合気体を前記空間部に供給する第３工程と、
前記空間部に供給された前記第２混合気体を前記空間部に滞留する気体と共に前記空間部の外部に排気する第４工程と、
を有することを特徴とする動物治療用濃縮酸素供給方法。
【請求項５】
前記第１工程では、酸素が４５％、窒素が５５％となるように前記第１混合気体が生成され、
前記第３工程では、前記第２混合気体として前記第１混合気体が前記空気と共に１０Ｌ／分の流量で前記空間部に供給されることを特徴とする請求項４に記載の動物治療用濃縮酸素供給方法。
【発明の詳細な説明】
【技術分野】
【０００１】
本発明は、動物の酸素療法に用いるための動物治療用濃縮酸素供給装置及び動物治療用濃縮酸素供給方法に関する。
【背景技術】
【０００２】
獣医科病院における酸素療法は、人間の病院におけるものと比較して著しく遅れている。犬や猫などの動物は、人間の身体構造が異なっているにもかかわらず、獣医科病院における酸素療法は人間の病院における酸素療法を真似ているのが現状である。
【０００３】
具体的には、酸素療法には酸素濃縮機が用いられる。この酸素濃縮機は、酸素濃度９０％以上を確保できるゼオライトを備えたＰＳＡ方式が用いられており、高濃度の酸素を人間又は動物に供給することができるものである。
【０００４】
ここで、人間の酸素療法の場合では、大気空間で鼻腔にカニューラを挿入して酸素投与を行うので、患者は供給された９０％濃度の酸素だけでなく空気も同時に吸入するため、実際に肺に到達する酸素濃度は３０から５０％程度になる。このため、患者に９０％濃度の酸素を投与しても、高濃度酸素がその人体に悪影響を及ぼすことはない。
【特許文献１】特開２００５−２０５１３２号公報
【発明の開示】
【発明が解決しようとする課題】
【０００５】
ところが、動物の酸素療法の場合では、箱状の収容部の空間部に動物を収容し、この空間部に高濃度酸素（９０％濃度の酸素）を供給するかたちで行われるが、収容部が大気空間と遮断されているため、動物は高濃度の酸素をそのまま吸入することになる。このため、高濃度酸素の吸入により、動物に悪影響を及ぼすおそれがある。
【０００６】
また、収容部が大気空間と遮断されているため、収容部の空間部には動物の呼吸により発生する炭酸ガスと湿気が充満する。炭酸ガスや湿気は動物に悪影響を及ぼすため、収容部に除湿機と炭酸ガス吸収剤を設けるか、酸素療法中に収容部の空間部を適宜開放する必要があるが、除湿機と炭酸ガス吸収剤を設けると製造コストが増大する問題があり、酸素療法中に収容部の空間部を適宜開放すると円滑な治療が行えなくなる問題がある。
【０００７】
そこで、本発明は、上記事情を考慮し、収容部の空間部に供給される酸素の濃度が高くなることを防止でき、収容部の空間部に滞留する炭酸ガスや湿気などの気体を空間部の外部に効果的に排気することができる動物治療用濃縮酸素供給装置及び動物治療用濃縮酸素供給方法を提供することを目的とする。
【課題を解決するための手段】
【０００８】
請求項１に記載の発明は、動物の酸素療法に用いる動物治療用濃縮酸素供給装置であって、空気中の酸素と窒素とを分離するとともに分離した酸素と窒素を所定の割合で混合して第１混合気体とし、前記第１混合気体に所定の割合で空気を混ぜて第２混合気体とする酸素濃縮部と、内部に酸素吸入を必要とする動物を収容する空間部が形成され前記酸素濃縮部と空気流通部により接続されて前記酸素濃縮部から前記空間部に前記第２混合気体が供給されるとともに、前記空間部に供給された前記第２混合気体を前記空間部に滞留する気体と共に前記空間部の外部に排気する排気部を有する収容部と、を含んで構成されたことを特徴とする。
【０００９】
請求項２に記載の発明は、請求項１に記載の動物治療用濃縮酸素供給装置において、前記酸素濃縮部は、酸素が４５％、窒素が５５％となるように前記第１混合気体を生成し、前記第２混合気体として前記第１混合気体を前記空気と共に１０Ｌ／分の流量で前記空間部に供給することを特徴とする。
【００１０】
請求項３に記載の発明は、請求項１又は２に記載の動物治療用濃縮酸素供給装置において、前記収容部は、前記空間部に前記動物が収容された状態を外部から視認できる程度の透明部材で構成されていることを特徴とする。
【００１１】
請求項４に記載の発明は、請求項１乃至３のいずれか１項に記載の動物治療用濃縮酸素供給装置を用いた動物治療用濃縮酸素供給方法であって、空気中の酸素と窒素とを分離するとともに分離した酸素と窒素を所定の割合で混合して第１混合気体とする第１工程と、前記第１混合気体に所定の割合で空気を混ぜて第２混合気体とする第２工程と、前記第２混合気体を前記空間部に供給する第３工程と、前記空間部に供給された前記第２混合気体を前記空間部に滞留する気体と共に前記空間部の外部に排気する第４工程と、を有することを特徴とする。
【００１２】
請求項５に記載の発明は、請求項４に記載の動物治療用濃縮酸素供給方法において、前記第１工程では、酸素が４５％、窒素が５５％となるように前記第１混合気体が生成され、前記第３工程では、前記第２混合気体として前記第１混合気体が前記空気と共に１０Ｌ／分の流量で前記空間部に供給されることを特徴とする。
【発明の効果】
【００１３】
請求項１に記載の発明によれば、酸素濃縮部により、空気中の酸素と窒素とが分離されるとともに分離された酸素と窒素が所定の割合で混合されて第１混合気体とされ、第１混合気体に所定の割合で空気が混ぜられて第２混合気体とされる。そして、酸素濃縮部から空気流通部を介して収容部の空間部に第２混合気体が供給されるとともに、空間部に供給された第２混合気体が空間部に滞留する気体と共に空間部の外部に排気部から排気される。これにより、酸素吸入を必要とする動物が収容される収容部の空間部に、酸素が窒素や空気とともに供給することができるため、収容部の空間部の酸素濃度が異常に高くなってしまうことを防止できる。この結果、収容部の空間部に収容された動物が酸素過多による悪影響を受けてしまうことを防止できる。
【００１４】
また、収容部の排気部から第２混合気体が空間部に滞留する気体と共に空間部の外部に排気されるため、動物の呼吸により空間部に排気された炭酸ガスや湿気を空間部の外部に排出することができる。これにより、収容部に除湿機や炭酸ガス吸収剤を設ける必要がなく、また、治療の途中で収容部の空間部を開放して空間部の空気を換気させる必要もない。この結果、動物の酸素治療を低コストの動物治療用濃縮酸素供給装置を用いて行うことができるとともに、途中で収容部の空間部を開放する必要がないため酸素治療を円滑に行うことができる。
【００１５】
請求項２に記載の発明によれば、酸素濃縮部により、酸素が４５％、窒素が５５％となるように第１混合気体が生成され、第２混合気体として第１混合気体が空気と共に１０Ｌ／分の流量で空間部に供給される。これにより、空間部の酸素濃度が大幅に上昇することを防止できる。また、空間部に滞留する炭酸ガスや湿気を排気部から外部に有効に排気させることができ、空間部の換気が不要になる。
【００１６】
請求項３に記載の発明によれば、収容部は空間部に動物が収容された状態を外部から視認できる程度の透明部材で構成されており、また、空間部の湿気は排気部から外部に排気されるため、収容部がくもってしまうことを防止できる。これにより、外部から収容部に収容された動物を観察することができる。
【００１７】
請求項４に記載の発明によれば、第１工程において、酸素濃縮部により、空気中の酸素と窒素とが分離されるとともに分離された酸素と窒素が所定の割合で混合されて第１混合気体とされる。第２工程において、第１混合気体に所定の割合で空気が混ぜられて第２混合気体とされる。第３工程において、酸素濃縮部から空気流通部を介して収容部の空間部に第２混合気体が供給される。第４工程において、空間部に供給された第２混合気体が空間部に滞留する気体と共に空間部の外部に排気部から排気される。これにより、酸素吸入を必要とする動物が収容される収容部の空間部に、酸素が窒素や空気とともに供給することができるため、収容部の空間部の酸素濃度が異常に高くなってしまうことを防止できる。この結果、収容部の空間部に収容された動物が酸素過多による悪影響を受けてしまうことを防止できる。
【００１８】
また、収容部の排気部から第２混合気体が空間部に滞留する気体と共に空間部の外部に排気されるため、動物の呼吸により空間部に排気した炭酸ガスや湿気を空間部の外部に排出することができる。これにより、収容部に除湿機や炭酸ガス吸収剤を設ける必要がなく、また、治療の途中で収容部の空間部を開放して空間部の空気を換気させる必要もない。この結果、動物の酸素治療を低コストの動物治療用濃縮酸素供給装置を用いて行うことができるとともに、途中で収容部の空間部を開放する必要がないため酸素治療を円滑に行うことができる。
【００１９】
請求項５に記載の発明によれば、第１工程では、酸素が４５％、窒素が５５％となるように第１混合気体が生成され、第３工程では、第２混合気体として第１混合気体が空気と共に１０Ｌ／分の流量で空間部に供給される。これにより、空間部の酸素濃度が大幅に上昇することを防止できる。また、空間部に滞留する炭酸ガスや湿気を排気部から外部に有効に排気させることができ、空間部の換気が不要になる。
【発明を実施するための最良の形態】
【００２０】
次に、本発明の一実施形態に係る動物治療用濃縮酸素供給装置について、図面を参照して説明する。なお、本明細書では、「動物」とは、人間は含まれず、人間以外の犬、猫などの動物を意味する。
【００２１】
図１及び図２に示すように、動物治療用濃縮酸素供給装置１０は、酸素濃縮機１２を備えている。この酸素濃縮機１２は、空気中の酸素と窒素とを分離する分離部１４を備えている。この分離部１４は、従来から周知のゼオライトを備えたＰＳＡ方式のものであり、空気中の酸素と窒素とを容易かつ確実に分離するこことができる。なお、分離部１４は、ゼオライトを備えたＰＳＡ方式のものに限られず、例えば、分子膜を応用した比較的低濃度３０〜４０％酸素の濃度が得られる膜式と呼ばれるものでもよい。
【００２２】
また、酸素濃縮機１２は、分離部１４により分離された酸素と窒素とを混合する第１混合部１６を備えている。この第１混合部１６により、酸素と窒素とが４５：５５の割合で混合されて第１混合気体が生成される。
【００２３】
また、酸素濃縮機１２は、第１混合部１６により生成された第１混合気体と空気とを混合する第２混合部１８を備えている。この第２混合部１８により、第１混合気体に所定の割合で空気が混合されて第２混合気体が生成される。
【００２４】
また、酸素濃縮機１２は、第２混合気体を後述の収容箱２４に供給するための気体供給部２０を備えている。この気体供給部２０の作動は、制御部２２により制御される。本実施形態では、第２混合気体は、気体供給部２０により１０Ｌ／分の流量で空間部Ｍに供給される。第２混合気体の流速は、制御部２２により制御される。なお、気体供給部２０は第１混合気体を空気と共に空間部Ｍに供給できるものであれば、第２混合部１８を設けなくてもよい。
【００２５】
さらに、酸素濃縮機１２は、第２混合気体を収容箱２４に供給するための供給ホース２６を備えている。この供給ホース２６は、収容箱２４と接続されており、第２混合気体を収容箱２４の空間部Ｍに供給することができるようになっている。
【００２６】
また、動物治療用濃縮酸素供給装置１０は、治療の対象となる動物が収容される収容箱２４を備えている。収容箱２４の内部には、空間部Ｍが形成されている。また、収容箱２４には空間部Ｍと連通する開口部が形成されている。また、収容箱２４には開口部を閉塞する蓋部２４Ａが設けられており、蓋部２４Ａを収容箱２４から取り外すことにより内部に動物を入れることができる。また、蓋部２４Ａで開口部が閉塞されることにより、収容箱２４の空間部Ｍと外部空気とが略遮断される。また、この収容箱２４は、内部に収容された動物を外部から視認できるように無色透明部材で構成されている。なお、収容箱２４の体積は、７０リットル以上２５０リットル以下である。
【００２７】
また、収容箱２４には、空間部Ｍと外部とを貫通する貫通孔２８が形成されている。これにより、空間部Ｍに滞留した気体は、貫通孔２８を介して空間部Ｍの外部に排気できるようになっている。
【００２８】
次に、動物治療用濃縮酸素供給装置１０を用いた動物治療用濃縮酸素供給方法について説明する。
【００２９】
図１乃至図３に示すように、酸素濃縮機１２の分離部１４により、空気中の酸素と窒素とが分離される（Ｓ１００）。次に、酸素濃縮機１２の第１混合部１６により、分離部１４により分離された酸素と窒素が４５：５５の割合で混合されて第１混合気体が生成される（Ｓ１１０）。
【００３０】
次に、酸素濃縮機１２の第２混合部１８により、第１混合部１６により生成された第１混合気体に所定の割合で空気が混合されて第２混合気体が生成される（Ｓ１２０）。
【００３１】
次に、酸素濃縮機１２の気体供給部２０により、第２混合気体が１０Ｌ／分の流量で収容箱２４の空間部Ｍに供給される（Ｓ１３０）。この第２混合気体は、供給ホース２６を介して収容箱２４の空間部Ｍに供給される。
【００３２】
なお、収容箱２４の空間部Ｍに、第２混合気体が供給されると、空間部Ｍに滞留した空気（例えば、動物の呼吸で排気された炭酸ガスや湿気など）が第２混合気体の一部とともに貫通孔２８を介して収容箱２４の外部に排気される。これにより、空間部Ｍの炭酸ガスや湿気などを外部に排気することができる。
【００３３】
以上のように、収容箱２４の空間部Ｍには、酸素と窒素が４５：５５の割合で混合された第１混合気体に空気が混合された第２混合気体が１０Ｌ／分の流量で供給される。これにより、酸素吸入を必要とする動物が収容される収容箱２４の空間部Ｍに、酸素が窒素や空気とともに供給することができるため、収容箱２４の空間部Ｍの酸素濃度が４５％以上となることを防止できる。この結果、収容箱２４の空間部Ｍに収容された動物が酸素過多による悪影響を受けてしまうことを防止できる。
【００３４】
また、収容箱２４の貫通孔２８から第２混合気体の一部が空間部Ｍに滞留する炭酸ガスや湿気と共に収容箱２４の外部に排気されるため、動物の呼吸により空間部Ｍに排気された炭酸ガスや湿気を空間部Ｍの外部に排出することができる。これにより、収容箱２４に除湿機や炭酸ガス吸収剤を設ける必要がなく、また、治療の途中で収容箱２４の空間部Ｍを開放して空間部Ｍの空気を換気させる必要もない。この結果、動物の酸素治療を低コストの動物治療用濃縮酸素供給装置１０を用いて行うことができるとともに、途中で収容箱２４の空間部Ｍを開放する必要がないため酸素治療を円滑に行うことができる。
【００３５】
特に、酸素濃縮機１２により、酸素が４５％、窒素が５５％となるように第１混合気体が生成され、第２混合気体として第１混合気体が空気と共に１０Ｌ／分の流量で空間部Ｍに供給されることにより、空間部Ｍの酸素濃度が大幅に上昇することを防止できる。また、空間部Ｍに滞留する炭酸ガスや湿気を貫通孔２８から外部に有効に排気させることができる。
【００３６】
また、収容箱２４は空間部Ｍに動物が収容された状態を外部から視認できる程度の無色透明部材で構成されており、また、空間部Ｍの湿気は貫通孔２８から外部に排気されるため、収容箱２４がくもってしまうことを防止できる。これにより、外部から収容箱２４に収容された動物を観察することができる。
【図面の簡単な説明】
【００３７】
【図１】本発明の一実施形態に係る動物治療用濃縮酸素供給装置の概略構成図である。
【図２】本発明の一実施形態に係る動物治療用濃縮酸素供給装置を構成する酸素濃縮部の概略構成図である。
【図３】本発明の一実施形態に係る動物治療用濃縮酸素供給装置の動物治療用濃縮酸素供給方法を示すフローチャートである。
【符号の説明】
【００３８】
１０      動物治療用濃縮酸素供給装置
１２      酸素濃縮機（酸素濃縮部）
２４      収容箱（収容部）
２６      供給ホース（空気流通部）
２８      貫通孔（排気部）
Ｍ        空間部
【図１】
2007296231.tif 000003
【図２】
2007296231.tif 000004
【図３】
2007296231.tif 000005